(57)【要約】【課題】  レンズシートのサイズを減らせモジュールに軽量化薄型化及びコンパクト化の要求を達成させることができるイメージセンサモジュールの提供。【解決手段】  上表面と下表面が設けられて該上表面に複数の第１接点が形成され、該下表面に複数の第２接点が形成された基板と、該基板の上表面に設けられ、且つ第１接点に電気的に接続されたイメージセンスチップと、中空柱とされて第１端と第２端を具え、該第１端に雌ネジが形成され、第２端の内壁に切欠きが設けられてその内径が第１端の内径より大きく設けられ、接着剤で該基板の上表面に接着されて、該イメージセンスチップを内部に位置づけるレンズシートと、上端面と下端面を具え、該上端面と下端面の間に雄ネジが形成されて該レンズシートの雌ネジと螺合され、且つその内部に透光エリアが設けられたレンズ筒とを具え、複数の導線がレンズシートの切欠き内に収容可能である。【選択図】        図２
2006086913.tif 000002
【特許請求の範囲】
【請求項１】
イメージセンサモジュールにおいて、
上表面と下表面を具え該上表面に複数の第１接点が形成され、該下表面に複数の第２接点が形成された基板と、
該基板の上表面に設けられ、且つ該第１接点に電気的に接続されたイメージセンスチップと、
中空柱とされて第１端と第２端を具え、該第１端に雌ネジが形成され、第２端の内壁に切欠きが設けられて第２端の内径が第１端の内径より大きく設けられ、接着剤で該基板の上表面に接着され、内部にイメージセンスチップを位置づけるレンズシートと、
上端面と下端面を具え、該上端面と下端面の間に雄ネジが形成されて該レンズシートの雌ネジと螺合され、且つその内部に透光エリアが設けられたレンズ筒と、
を具えたことを特徴とつる、イメージセンサモジュール。
【請求項２】
請求項１記載のイメージセンサモジュールにおいて、レンズシートの切欠きが三角形とされたことを特徴とする、イメージセンサモジュール。
【請求項３】
請求項１記載のイメージセンサモジュールにおいて、イメージセンスチップが複数の導線で基板の第１接点に電気的に接続されたことを特徴とする、イメージセンサモジュール。
【請求項４】
請求項３記載のイメージセンサモジュールにおいて、レンズシートが接着剤で基板の上表面に接着され、並びに導線上方に圧接されたことを特徴とする、イメージセンサモジュール。
【請求項５】
請求項１記載のイメージセンサモジュールにおいて、接着剤がレンズシートの切欠き内に充填されたことを特徴とする、イメージセンサモジュール。
【発明の詳細な説明】
【技術分野】
【０００１】
本発明は一種のイメージセンサモジュールに係り、特に、軽量化、薄型化、コンパクト化されたイメージセンサモジュールに関する。
【背景技術】
【０００２】
図１は周知のイメージセンサモジュールの断面図である。第１表面１２と第２表面１４を具えて該第１表面１２に複数の第１接点１６が形成され、第２表面１４に複数の第２接点１８が形成された基板１０と、該基板１０の第１表面１２に設けられて複数の導線２２により基板１０の第１接点１６に電気的に接続されるイメージセンスチップ２０と、中空柱とされて第１端２６と第２端２８を具え、該第１端２６に雌ネジ３０が形成され、第２端２８が基板１０の第１表面１２に接着されてイメージセンスチップ２０の回りに繞設されたレンズシート２４と、上端面３４、下端面３６及び上端面３４と下端面３６の間に形成された雄ネジ３６を具えてレンズシート２４の雌ネジ３０に螺合され且つ内部に透光エリア３９が設けられたレンズ筒３２と、を具えている。
【０００３】
上述のイメージセンサモジュールは、イメージセンスチップ２０とレンズシート２４の間に導線２２をボンディングするための空間を保留しなければならず、ゆえに、小さいモジュールを形成することができない。
【発明の開示】
【発明が解決しようとする課題】
【０００４】
上記従来の技術の問題を鑑み、本発明は体積を減らすことのできるイメージセンサモジュールを提供することにある。
【０００５】
即ち本発明の主要な目的は、モジュール体積を減らせ、軽量化、薄型化、コンパクト化の目的を達成できるイメージセンサモジュールを提供することにある。
【課題を解決するための手段】
【０００６】
請求項１の発明は、イメージセンサモジュールにおいて、
上表面と下表面を具え該上表面に複数の第１接点が形成され、該下表面に複数の第２接点が形成された基板と、
該基板の上表面に設けられ、且つ該第１接点に電気的に接続されたイメージセンスチップと、
中空柱とされて第１端と第２端を具え、該第１端に雌ネジが形成され、第２端の内壁に切欠きが設けられて第２端の内径が第１端の内径より大きく設けられ、接着剤で該基板の上表面に接着され、内部にイメージセンスチップを位置づけるレンズシートと、
上端面と下端面を具え、該上端面と下端面の間に雄ネジが形成されて該レンズシートの雌ネジと螺合され、且つその内部に透光エリアが設けられたレンズ筒と、
を具えたことを特徴とつる、イメージセンサモジュールとしている。
請求項２の発明は、請求項１記載のイメージセンサモジュールにおいて、レンズシートの切欠きが三角形とされたことを特徴とする、イメージセンサモジュールとしている。
請求項３の発明は、請求項１記載のイメージセンサモジュールにおいて、イメージセンスチップが複数の導線で基板の第１接点に電気的に接続されたことを特徴とする、イメージセンサモジュールとしている。
請求項４の発明は、請求項３記載のイメージセンサモジュールにおいて、レンズシートが接着剤で基板の上表面に接着され、並びに導線上方に圧接されたことを特徴とする、イメージセンサモジュールとしている。
請求項５の発明は、請求項１記載のイメージセンサモジュールにおいて、接着剤がレンズシートの切欠き内に充填されたことを特徴とする、イメージセンサモジュールとしている。
【発明の効果】
【０００７】
本発明のイメージセンサモジュールは、複数の導線がレンズシートの切欠き内に収容可能とされたことにより、レンズシートのサイズを減らしてモジュールの軽量化薄型化及びコンパクト化の要求を達成することができる。
【発明を実施するための最良の形態】
【０００８】
本発明のイメージセンサモジュールは、上表面と下表面が設けられて該上表面に複数の第１接点が形成され、該下表面に複数の第２接点が形成された基板と、該基板の上表面に設けられ、且つ第１接点に電気的に接続されたイメージセンスチップと、中空柱とされて第１端と第２端を具え、該第１端に雌ネジが形成され、第２端の内壁に切欠きが設けられてその内径が第１端の内径より大きく設けられ、接着剤で該基板の上表面に接着されて、該イメージセンスチップを内部に位置づけるレンズシートと、上端面と下端面を具え、該上端面と下端面の間に雄ネジが形成されて該レンズシートの雌ネジと螺合され、且つその内部に透光エリアが設けられたレンズ筒とを具えている。
【０００９】
こうして複数の導線がレンズシートの切欠き内に収容可能とされたことにより、レンズシートのサイズを減らせモジュールに軽量化薄型化及びコンパクト化の要求を達成させることができる。
【実施例１】
【００１０】
図２は本発明のイメージセンサモジュールの断面図である。それは、基板５０、イメージセンスチップ５２、レンズシート５４、及びレンズ筒５６を具えている。
【００１１】
該基板５０は上表面５８と下表面６０を具え該上表面５８に複数の第１接点６２が形成され、該下表面６０に複数の第２接点６４が形成されている。
【００１２】
該イメージセンスチップ５２は該基板５０の該上表面５８に設けられ、且つ複数の導線６６で第１接点６２に電気的に接続されている。
【００１３】
該レンズシート５４は中空柱とされて第１端６８と第２端７０を具え、該第１端６８に雌ネジ７２が形成され、第２端７０の内壁に三角形の切欠き７４が設けられて該第２端７０の内径が第１端６８の内径よりやや大きいものとされる。該レンズシート５４は接着剤７６で基板５０の上表面５８に接着されてイメージセンスチップ５２がレンズシート５４内に位置づけられ、且つ複数の導線６６が切欠き７４の下方に位置し、接着材７６のオーバーフロー７８が切欠き７４に充填され、並びに一部の導線６６を被覆する。
【００１４】
該レンズ筒５６は上端面８０、下端面８２を具え、該上端面８０と下端面８２の間に雄ネジ８４が形成されて該レンズシート５４の雌ネジ７２と螺合され、且つその内部に透光エリア８６が設けられている。
【００１５】
本発明は以下のような長所を有している。
１．レンズシート５４に切欠き７４が形成されて、導線６６が切欠き７４内に内蔵され、これにより同一サイズのイメージセンスチップ５２でモジュールを製造する時、レンズシート５４のサイズを有効に縮小でき、モジュールに軽量化、薄型化、コンパクト化の要求を達成させられる。
２．接着剤７６のオーバーフロー７８が切欠き７４内に充填されることにより、水分のモジュール内への進入を効果的に防止でき、製品の信頼度を高めることができる。
【００１６】
以上の実施例は本発明の範囲を限定するものではなく、本発明に基づきなしうる細部の修飾或いは改変は、いずれも本発明の請求範囲に属するものとする。
【図面の簡単な説明】
【００１７】
【図１】周知のイメージセンサモジュールの断面図である。
【図２】本発明のイメージセンサモジュールの断面図である。
【符号の説明】
【００１８】
１０  基板                １２  第１表面        １４  第２表面
１６  第１接点            １８  第２接点        ２０  イメージセンスチップ
２２  導線                ２４  レンズシート    ２６  第１端
２８  第２端              ３０  雌ネジ          ３２  レンズ筒
３４  上端面              ３６  下端面          ３８  雄ネジ
３９  透光エリア
５０  基板            ５２  イメージセンスチップ    ５４  レンズシート
５６  レンズ筒        ５８  上表面                  ６０  下表面
６２  第１接点        ６４  第２接点                ６６  導線
６８  第１端          ７０  第２端                  ７２  雌ネジ
７４  切欠き          ７６  接着剤                  ７８  オーバーフロー
８０  上端面          ８２  下端面                  ８４  雄ネジ
８６  透光エリア
【図１】
2006086913.tif 000003
【図２】
2006086913.tif 000004